(57)【要約】      （修正有）【課題】正面が開放されて正面から見て正方形、および長方形となる４つの周壁を有する複数の箱体を適宜に組み合わせた連結家具構造を提供する。【解決手段】箱体の少なくとも３つの周壁で、それぞれ箱体の角部から同じ長さＬで離間する位置に連結ボルト４・ナット５挿入用の貫通孔２が穿設されており、前記箱体の残りの１つの周壁に前記貫通孔２と所定長さＭずれた位置に外向きに開口した連結ピン挿入用の凹部が形成されており、前記連結ボルト４・ナット５は、端部に頭部を有するボルト部と、端部に鍔部を有するナット部とからなり、前記貫通孔２には前記頭部または鍔部を掛け止める拡開段部３が形成されており、前記連結ピンは、中央に凹部より大径の鍔部を有する。【選択図】図５
2016083138.tif 000002
【特許請求の範囲】
【請求項１】
正面が開放されて正面から見て正方形、および長方形となる４つの周壁を有する複数の箱体からなり、
該箱体の少なくとも３つの周壁で、それぞれ箱体の角部から同じ長さ（Ｌ）で離間する位置に連結ボルト・ナット挿入用の貫通孔が穿設されており、
前記箱体の残りの１つの周壁に前記貫通孔と所定長さ（Ｍ）ずれた位置に外向きに開口した連結ピン挿入用の凹部が形成されており、
前記連結ボルト・ナットは、端部に大径の頭部を有するボルト部と、端部に大径の鍔部を有するナット部とからなり、
前記貫通孔に、前記ボルト部またはナット部を挿入する側に前記頭部または鍔部を周壁より突出しないように掛止める拡開段部が形成されており、
前記連結ピンは、中央に前記凹部より大径の鍔部を有していることを特徴とする連結家具構造。
【請求項２】
長方形の箱体の短手辺の周壁が正方形の箱体の一辺の周壁と同じ長さに設定され、長手辺の周壁が短手辺の周壁の長さに所定倍数をかけた長さ、または該所定倍数を所定以下の約数で割った長さに設定されていることを特徴とする請求項１に記載の連結家具構造。
【請求項３】
貫通孔が、正方形の箱体の周壁の長さを二等分した長さ（Ｌ）で離間する位置に設定されており、
凹部が、長方形の箱体の長手辺の周壁の長さを等分した長さ（Ｍ）で離間する位置に設定されていることを特徴とする請求項１または２に記載の連結家具構造。
【請求項４】
正方形の箱体の１辺の長さを３とした場合、長方形の箱体の長手辺の長さが４となり、貫通孔が角部からの長さを１．５となり、凹部は角部から長さを１に設定して１個所または等間隔に複数個所に配置されていることを特徴とする請求項１から３のいずれかに記載の連結家具構造。
【発明の詳細な説明】
【技術分野】
【０００１】
本発明は、正面が開放されて正面から見て正方形、および長方形となる４つの周壁を有する複数の箱体を適宜に組み合わせた連結家具構造の改良に関する。
【背景技術】
【０００２】
従来、この種の連結家具構造として、例えば、特開２０１３−１８８３１５号では、正面が開放された箱形状を有し、該箱形状の両側に対向する側板の内面に棚受用のダボを差し込むダボ穴が備えられた収納ユニットを横並びさせ、その横並びされた収納ユニットの隣接する側板同士を連結するユニット家具の連結構造であって、 前記側板同士が隣接して重なる重合部を前記収納ユニットの正面開放側から挟むコ形状を有し、該コ形状の両側に突出する側片の開放端側が互いに内向きに狭まろうとする方向に付勢される弾力を有し、かつ前記側片の内面に形成され、前記弾力により前記側板のダボ穴に嵌まって固定される嵌合突部とを有するホルダーで構成したユニット家具の連結構造が開示されている。
上記構造では、左右に隣接する側板にコ形状のホルダーを嵌合して連結するため、ホルダーの厚み部分が箱形状の収納ユニットの表面より突出することになり、収納ユニットの壁面と同一面に設定することができない。
また、ホルダーは横方向の連結はできるが上下方向の連結はできない。
これは、ホルダーの固定に側板に形成された棚受用のダボ穴を利用することを前提としているためである。
【先行技術文献】
【特許文献】
【０００３】
【特許文献１】特開２０１３−１８８３１５号公報
【発明の概要】
【発明が解決しようとする課題】
【０００４】
この発明が解決しようとする問題点は、異なる寸法の箱体を、上下方向・水平方向に自由に連結することで、使用する室内の形状に合わせて箱体を組み合わせて最適の収納家具を形成することができ、また用途に応じて箱体の増減を容易に行うことができる連結家具構造を提供することにある。
【課題を解決するための手段】
【０００５】
本発明は、上記課題を解決するために、請求項１の発明では、
正面が開放されて正面から見て正方形、および長方形となる４つの周壁と背面を塞ぐ背壁とを有する複数の箱体からなり、
該箱体の少なくとも３つの周壁で、それぞれ箱体の角部から同じ長さ（Ｌ）で離間する位置に連結ボルト・ナット挿入用の貫通孔が穿設されており、
前記箱体の残りの１つの周壁に前記貫通孔と所定長さ（Ｍ）ずれた位置に外向きに開口した連結ピン挿入用の凹部が形成されており、
前記連結ボルト・ナットは、端部に大径の頭部を有するボルト部と、端部に大径の鍔部を有するナット部とからなり、
前記貫通孔に、前記ボルト部またはナット部を挿入する側に前記頭部または鍔部を周壁より突出しないように掛止める拡開段部が形成されており、
前記連結ピンは、中央に前記凹部より大径の鍔部を有していることを特徴とする。
請求項２の発明では、
前記長方形の箱体の短手辺の周壁が正方形の箱体の一辺の周壁と同じ長さに設定され、長手辺の周壁が短手辺の周壁の長さに所定倍数をかけた長さ、または該所定倍数を所定以下の約数で割った長さに設定されており、前記箱体の背壁までの奥行きの長さは一定に設定されていることを特徴とする。
請求項３の発明では、
前記貫通孔が、正方形の箱体の周壁の長さを二等分した長さ（Ｌ）で離間する位置に設定されており、
凹部が、長方形の箱体の長手辺の周壁の長さを等分した長さ（Ｍ）で離間する位置に設定されていることを特徴とする。
請求項４の発明では、
前記正方形の箱体の１辺の長さを３とした場合、長方形の箱体の長手辺の長さが４となり、貫通孔が角部からの長さを１．５となり、凹部は角部から長さを１に設定して１個所または等間隔に複数個所に配置されていることを特徴とする。
【発明の効果】
【０００６】
この発明は、上記構成からなるので、正方形または長方形の箱体を、必要に応じて縦横の向きを変えながら、上下方向や水平方向に自由に連結して、使用に供することができるので、狭い室内であっても最適の連結家具を形成することができ、また箱体の増減を容易に行うことができる。
連結には、箱体の表面には突出しない連結ボルト・ナットや連結ピンを用いるので、箱体に突出する部分が生じることがなく、極めて安全である。
前記箱体は、用途に応じて、個別の箱体として使用したり、連結家具として使用したりする個別の箱体として使用することができ、向きを縦方向、または横方向に置いて連結することができる。
前記連結は、箱体の裏面側に回り込まずに、前方の開口側から作業できるので箱体の連結や増減などの組み換えを容易にでき、連結用に作業スペースを広く取る必要もない。
また、異なる寸法の箱体の連結が最小の数で確実にできるので、組立作業が迅速で容易且つ安価にできる。
更に、箱体の奥行きの長さを統一することで、連結された箱体の裏面を間仕切りとして利用することもできる。
【図面の簡単な説明】
【０００７】
【図１】正方形箱体を示す正面図であって、（ａ）は正方形箱体Ａ、（ｂ）は正方形箱体Ｂ、（ｃ）は正方形箱体Ｃ、（ｄ）は正方形箱体Ａの断面図である。
【図２】長方形箱体を示す正面図であって、（ａ）は長方形箱体Ａ、（ｂ）は長方形箱体Ｂ、（ｃ）は長方形箱体Ｃ、（ｄ）は長方形箱体Ｄ、（ｅ）は長方形箱体Ａの断面図である。
【図３】長手辺の異なる長方形箱体Ｅを示す正面図である。
【図４】横方向に隣接する箱体の貫通孔を整合した状態の要部断面図である。
【図５】（ａ）は連結ボルトとナットを横向きで取り付ける状態を示す要部の斜視図、（ｂ）は縦向きで連結ボルトとナットを取り付ける状態を示す要部の斜視図である。
【図６】上下に隣接する箱体の凹部を整合した状態の要部断面図である。
【図７】連結ピンを縦向きで上下の凹部に取り付ける状態を示す要部の斜視図である。
【図８（ａ）】連結家具の一例を示す斜視図である。
【図８（ｂ）】連結家具の一例を示す平面図である。
【図９（ａ）】異なる組み合わせの連結家具を示す平面図である。
【図９（ｂ）】別の組み合わせの連結家具を示す平面図である。
【図９（ｃ）】更に別の組み合わせの連結家具を示す平面図である。
【図９（ｄ）】更に別の組み合わせの連結家具を示す平面図である。
【図９（ｅ）】更に別の組み合わせの連結家具を示す平面図である。
【図９（ｆ）】更に別の組み合わせの連結家具を示す平面図である。
【図１０】正方形箱体の変形例を示す正面図である。
【発明を実施するための形態】
【０００８】
以下に、この発明の連結家具構造の好適実施例について図面を参照しながら説明する。
連結家具構造は、正面が開放されて正面から見て正方形となる４つの周壁と背面を塞ぐ背壁とからなる正方形箱体１０（図１参照）と、正面が開放されて正面から見て長方形となる４つの周壁と背面を塞ぐ背壁とからなる長方形箱体２０（図２〜図３参照）とを用いている。
【０００９】
本実施例で正面が開放された箱体は、正面の開口を囲む４つの周壁１１〜１４、２１〜２４と正面と対峙し前記周壁を繋ぐ背壁１５、２５とを有しており、正面視で周壁によって正方形の枠が形成される正方形箱体１０と、正面視で長方形の枠長方形箱体２０の２種類の箱体が用いられている。
【００１０】
正方形箱体１０は、３つの周壁１１〜１３に、各周壁の端部から同じ長さ（Ｌ）で離間する位置に連結ボルト・ナット挿入用の貫通孔２が穿設されており、残りの１つの周壁１４に前記貫通孔２と異なる長さ（Ｍ）でずれた位置に外向きに開口した連結ピン挿入用の凹部６が形成されている。
本実施例では、前記凹部６が形成された周壁１４にも前記と同様の貫通孔２が形成されてもよい（図１０参照）。
【００１１】
ここで、貫通孔２は、図４に示すように、ボルトやナットを挿入する側が大径となる拡開段部３が形成されている。
従って、箱体の３つの周壁、または箱体の４つの周壁で、大径の拡開段部３が箱体の内面側に形成された貫通孔２を有している。
貫通孔２と凹部３とは、異なる位置に配置されるので、両者は同一の周壁に形成しうるようになっている。
【００１２】
連結ボルト４は、図５に明瞭なように、頭部４ａが低いボルト、例えば超低頭ボルトが好ましく、前記頭部４ａが拡開段部３に嵌合して周壁から突出することがないように厚みが設定されている。
上記連結ボルト４を緊締するナット５は、ネジを刻設した筒体の基端にフランジ５ａが一体に固着されている。
上記フランジ５ａは、前記拡開段部３に収納して周壁から突出しない厚みに設定される。
【００１３】
そこで、隣接する箱体の各貫通孔２を図４〜図５に示すように整合し、一方の貫通孔２に連結ボルト４を挿入し、他方の貫通孔２から前記ナット５を嵌合する。
そして、連結ボルト４をナット５に螺合し緊締して隣接する箱体同士を固定する。
前記連結ボルト４の頭部４ａは一方の貫通孔２の拡開段部３に収納され、ナット５のフランジ５ａは他方の貫通孔２の拡開段部３に収納されるので、箱体の周壁の表面から前記連結ボルト４やナット５の一部が突出することがなく、安全である。
【００１４】
次に、凹部６は、図６に示すように、組み立て時に、上段の箱体（図示例では１０（２０でもよい））の底辺となる周壁と下段の箱体（図示例では２０（１０でもよい）の上辺となる周壁とで整合しうるように配置されており、図示例の場合、凹部６は盲穴からなっている。
【００１５】
連結ピン７は、中央に鍔部８を有し、該鍔部８の両面の中央で中心線に沿ってそれぞれ反対方向に突出する上下一対のピン部９を有しており、上向きのピン部（説明の便宜上、９ａとする）が上方の箱体の凹部６に嵌合し、下向きのピン部（説明の便宜上、９ｂとする）が下方の箱体の凹部６に嵌合して上下の箱体を２個所以上で掛止めるようにしているので、上段の箱体を下段の箱体に正確に位置決めして掛止めることができる。
【００１６】
上記箱体１０、２０は、該箱体の中空部に水平または垂直に伸びる１または複数の棚板Ｓを設けてもよい。
本実施例では、正方形箱体１０として、図１（ａ）に示すように、棚板を設けない正方形箱体を１０Ａとする。
ここで、正方形箱体に共通する事項を説明する場合は符号１０とし、個別の正方形箱体の場合には符号１０にアルファベットを付加して特定する（以下、長方形箱体も同じ）。
図１（ｂ）では、垂直の棚板Ｓを設けた正方形箱体１０Ｂ、図１（ｃ）では水平に上下２段の棚板Ｓ１、Ｓ２を設けた正方形箱体１０Ｃを用いている。
【００１７】
本実施例では正方形箱体１０の各周壁１１〜１４の長さは４５ｃｍとなっており、貫通孔２はその中央となる２２．５ｃｍに孔の中心がくるように隣接する３つの周壁１１〜１３に配置されている。
また、凹部６は、主に上または下となる周壁１４に、その端部から１５ｃｍに凹部の中心がくるように配置され、図示例では、１５ｃｍ間隔に２つの凹部６が形成されている。
【００１８】
また、貫通孔２および凹部６は、いずれも側壁１１〜１４の奥行き方向でも中央に配置されている（図１（ｄ）参照）。
ここで、背壁１５までの奥行き方向の長さは、本実施例の場合、３５ｃｍとしているので、前端または後端から１７．５ｃｍの個所に貫通孔２や凹部６が配置されている。
上記箱体の奥行き方向の位置は中央が好ましいが、この発明では、前方または後方に偏って同一面上となるように配置してもよい。
【００１９】
長方形箱体２０として、図２に長手辺を縦向きに図示した場合を示す。
図２（ａ）には中央に１つの棚板Ｓを水平に設けた長方形箱体２０Ａ、図２（ｂ）には垂直に１つの棚板Ｓを設けた長方形箱体２０Ｂ、図２（ｃ）には上下２段に２つの棚板Ｓを水平に設けた長方形箱体２０Ｃ、図２（ｄ）には水平および垂直に十字状の棚板Ｓを設けた長方形箱体２０Ｄを用いている。
この長方形箱体２０でも、前記棚板Ｓは貫通孔２および凹部６の位置を避けて重ならない位置に配置されているが凹部６は貫通していないので、棚板Ｓの位置と重なってもよい。これは前記正方形箱体１０でも同じである。
【００２０】
ここで、長方形箱体２０の短手辺の周壁２２、２３の長さは、正方形箱体１０の一辺の周壁の長さと同じ長さに設定され、本実施例では４５ｃｍとなる。
長手辺の周壁２１、２４の長さは、前記短手辺の周壁２２、２３の長さに所定倍数をかけた長さ、または該所定倍数を所定以下の約数で割った長さに設定され、本実施例では、４５ｃｍを４倍し３で割った６０ｃｍに設定されている。
なお、長方形箱体２０の背壁２５までの奥行きの長さは、正方形箱体１０の奥行きの長さと同一に設定されるので、本実施例では３５ｃｍとなる。
【００２１】
貫通孔２は、短手辺の周壁２２、２３では、中央の位置となる端部から２２．５ｃｍの位置、長手辺の周壁２１，２４では、端部から２２．５ｃｍの位置で左右に対向する位置に１個所づつ設けられている。
凹部６は、いずれか一方の長手辺の周壁２４に、前記正方形箱体１０と同じく端部から１５ｃｍに配置され、この１５ｃｍ間隔で等間隔に合計３つの凹部６が形成されている。
【００２２】
また、本実施例では、貫通孔２および凹部６は、いずれも側壁２１〜２４の奥行き方向でも中央に配置されている（図２（ｅ）参照）。
なお、前記正方形箱体１０と同様に、長方形箱体２０でも棚板Ｓは、貫通孔２や凹部６を避けた重ならない位置に配置されている。
また、凹部６は、周壁２４に等間隔に３つ配置されたが、少なくとも１つ配置すればよく、その他の凹部６は省略してもよい。
【００２３】
図３には、前記図２の長方形箱体２０とは長手辺の周壁２１、２４の長さの異なる長方形箱体２０Ｅを示す。
この長方形箱体２０Ｅは、長手辺の周壁２１、２４の長さは、短手辺の周壁２１、２３の長さ４５ｃｍの２倍となる９０ｃｍに設定されている。
【００２４】
そして、短手片の周壁２２、２３にはその中央、即ち、端部から２２．５ｃｍの位置に１つの貫通孔２が穿設され、長手辺の周壁２２，２４には左右の端部からそれぞれ２２．５ｃｍの位置に合計２つの貫通孔２が形成されている。
また、一方の長手辺の周壁２４には、１５ｃｍ間隔で等間隔に５つの凹部６が形成されている。
前記長方形箱体２０のその他の構成は、前記正方形箱体１０と同じであるので、その説明を省略する。
【００２５】
上記構成により、長方形箱体１０では３つの周壁１１〜１３に、長方形箱体２０では、全ての周壁２１〜２４に貫通孔２が形成されているので、長方形箱体２０のいずれの周壁にも正方形箱体１０の３つの周壁１１〜１３を隣り合わせることで貫通孔２同士を整合させることができ、また長方形箱体２０同時であっても、短手辺の周壁同士、短手辺と長手辺の周壁同士、または長手辺の周壁同士を隣り合わせることで貫通孔２を整合させることができる。
【００２６】
また、凹部６が形成された正方形箱体１０の周壁１４、または長方形箱体２０の周壁２４は、それぞれ適宜に組み合わせ上下に重ねることで連結ピン７を介して掛止め位置決めすることができる。
また貫通孔２が形成された正方形箱体１０の周壁１１〜１３、または長方形箱体２０の周壁２１〜２４は、２０Ａ〜２０Ｅ）は短手辺の周壁２１、２３は、それぞれ適宜に組み合わせ上下、または左右に重ねることで連結ボルト４とナット５で固着することができる。
【００２７】
図８には、これら正方形箱体１０と長方形箱体２０とを組み合わせた連結家具３０の一例を示す。
ここで、連結家具３０には上段に固定するトップスタンド１５が用いられる。
トップスタンド１５は、正方形箱体１０の１つの周壁と同じ大きさの底壁１６と、該底壁１６から左右に立設する一対の側壁１７と、該側壁１７間の掛け渡させる背壁１８とからなっており、前記底壁１６に正方形箱体１０の周壁１１〜１３と同様に、その中央に貫通孔２’が穿設されている。
また、本実施例では、正方形箱体１０は一辺の周壁１４のみに凹部３を形成し、貫通孔２を形成していないので、箱体相互を上下に連結する場合には周壁１４が下辺となるように上段に配置し、下段の正方形箱体１０または長方形箱体２０の凹部３が形成された周壁を上辺となるように配置し、凹部３を整合して連結ピン７で掛け止めて正確に位置決めしている。
【００２８】
即ち、連結家具３０は、下段が、図中左から、長方形箱体２０Ａと、長方形箱体２０Ｂと、長方形箱体２０Ｄとを短手辺の周壁を縦向きにした姿勢で一連に並べており、隣接する長方形箱体の短手辺の周壁の貫通孔２を水平に整合して、連結ボルト４とナット５によって緊締している。
【００２９】
連結家具３０の中段は、図中左から、正方形箱体１０Ｂと、正方形箱体１０Ａと、正方形箱体１０Ｃと、同じく正方形箱体１０Ｃを、それぞれの凹部６を設けた周壁１４が下になるようにして一連に並べており、各正方形箱体１０の隣接する周壁１２、１３の貫通孔を水平に整合して、連結ボルト４とナット５によって緊締している。
【００３０】
また、前記中段の正方形箱体１０の底辺となる周壁１４と、下段の長方形箱体２０の上辺となる周壁２４とは、それぞれの凹部６が上下で整合するので、連結ピン７の上下のピン部９をそれぞれの凹部６に嵌合して、上下の箱体を掛止めている。
【００３１】
ここで、図１０のように、正方形箱体１０の凹部を有する周壁１４にも貫通孔２を形成しておけば、長方形箱体２０の凹部を有する周壁２４の貫通孔２とを垂直に整合させて、連結ボルト４とナット５を用いて緊締することもできる。
【００３２】
同様に図９には、前記正方形箱体１０と長方形箱体２０の各種組み合わせからなる連結家具３０を示す。なお、この図では、箱体を貫通孔２に挿入した連結ボルト４とナット５で連結した個所をＣ１とし、凹部６に連結ピン７を掛け止めた個所をＣ２とし、使用されていない貫通孔と凹部は図示省略している。
【００３３】
図９（ａ）では２つの正方形箱体１０Ａの貫通孔２を整合して上下に連結し、１つの正方形箱体１０Ｃを下段の正方形箱体１０Ｃの横に貫通孔２を整合して固着し、その横に、短手辺を縦向きとした１つの長方形箱体２０Ｂおよび１つの長方形箱体２０Ｅとを貫通孔２を整合して固着し、前記長方形箱体２０Ｅの上段に正方形箱体１０Ｃの貫通孔２を整合して固着した構造からなっている。
【００３４】
図９（ｂ）では、長手辺を縦向きにした長方形箱体２０Ｅと、長方形箱体２０Ｃと、正方形箱体１０Ｃとを並べて、整合した貫通孔２に連結ボルト４とナット５を挿入し固定している。
図９（ｃ）では、長方形箱体２０Ｅを横向きと縦向きに配置し、横向きの長方形箱体２０Ｅの上に正方形箱体１０Ｂを配置しており、それぞれ貫通孔２を整合して連結ボルト４とナット５を挿入して緊締し、上下の連結と左右の連結を行っている。
ここで例えば、正方形箱体１０Ｂの下辺を周壁１４として、その凹部６と長方形箱体２０Ｅの周壁２４に形成された凹部６とを整合して、連結ピン７で掛止めてもよい。この場合、上段の箱体１０Ｂは、不要の場合には、容易に取り外すことができる。
【００３５】
図９（ｄ）では、一対の正方形箱体１０Ｃの間に正方形箱体１０Ａを介設した配置であって、貫通孔２を整合させて左右の連結を行っている。
図９（ｅ）では、長手辺を縦向きにした長方形箱体２０Ａを２つ並べ、その横に長方形箱体２０Ｃと２０Ｄを並べ、その横に短手辺を縦にした長方形箱体２０Ｂを２つ並べており、横向きにした長方形箱体２０Ｂの上にそれぞれトップスタンド１５を１つづつ配置した構成からなっている。
この場合、各長方形箱体は貫通孔２を２つまたは１つを水平に整合させて連結ボルト４とナット５により緊締し、トップスタンド１５と長方形箱体２０Ｂとは貫通孔２を垂直に整合させて連結ボルト４とナット５により緊締している。
【００３６】
図９（ｆ）では、長手辺を縦にした長方形箱体２０Ｃを左右両端に配置し、間に正方形箱体１０Ｃと１０Ｂを配置した構成からなっており、それぞれ貫通孔２を水平に整合させて連結ボルト４とナット５により緊締している。
このように、予め形成されている正方形箱体１０Ａ〜１０Ｄ、長方形箱体２０Ａ〜２０Ｅを用いて、所望の連結家具を組み立てることができる。
なお、図８（ｂ）や図９に示すように、箱体の棚には、適宜、収納ボックスを嵌め込んで使用することができる。
【００３７】
この発明では、前述の図１０に示したように、正方形箱体１０の凹部３が形成された周壁１４にも貫通孔２を形成してもよい。
これにより、正方形箱体１０同士、または正方形箱体１０と長方形箱体２０とを上下に重ねた場合に、上下双方の凹部に連結ピン７を掛止め、同時に上下双方の貫通孔２を整合して連結ボルト４とナット５を貫挿して上下の箱体を固定することができる。
【００３８】
下段の正方形箱体１０または長方形箱体２０は、凹部を有しない周壁１１〜１３または２１〜２３を重ねててもよく、その場合は、上下の貫通孔２のみを整合して、連結ボルト４とナット５により固定する構成としてもよい。
また、上記実施例は主に子供用の連結家具を形成する場合の１例としてのサイズを例示したものであり、この発明は上記数値に限定されない。
そこで、長方形箱体の短手辺の周壁の長さを正方形箱体の一辺の周壁の長さを同じくし、長手辺の周壁の長さを短手辺の周壁の長さに所定倍数をかけた長さ、または該所定倍数を所定以下の約数で割った長さに設定することが好ましい。
その他、この発明は、上記実施例に限定されるものではなく、その要旨を変更しない範囲で種々設計変更することができる。
【符号の説明】
【００３９】
２    貫通孔
３    拡開段部
４    連結ボルト
５    ナット
６    凹部
７    連結ピン
８    鍔部
９    ピン部  
１０    正方形箱体
１０ａ  棚
１１〜１４  周壁
１５    トップスタンド
２０    長方形箱体
２０ａ  棚
２１、２３  短手辺の周壁
２２、２４  長手辺の周壁
３０    連結家具
【図１】
2016083138.tif 000003
【図２】
2016083138.tif 000004
【図３】
2016083138.tif 000005
【図４】
2016083138.tif 000006
【図５】
2016083138.tif 000007
【図６】
2016083138.tif 000008
【図７】
2016083138.tif 000009
【図８（ａ）】
2016083138.tif 000010
【図８（ｂ）】
2016083138.tif 000011
【図９（ａ）】
2016083138.tif 000012
【図９（ｂ）】
2016083138.tif 000013
【図９（ｃ）】
2016083138.tif 000014
【図９（ｄ）】
2016083138.tif 000015
【図９（ｅ）】
2016083138.tif 000016
【図９（ｆ）】
2016083138.tif 000017
【図１０】
2016083138.tif 000018